(57)【要約】【課題】ロール状に巻き上げ繰り出される防虫網においては、巻き取られる状態では広幅の帯状の状態で巻き上げられ、繰り出される状態では両縁が折り曲がるように案内手段に導入して繰り出された後は両サイドが固定されるものを提供しようとする。【解決手段】建物の開口部１１に設置された窓枠１３の面に沿って繰り出され、巻き上げられる防虫網１７において、その防虫網１７の両縁にテープ状補強部１７ｓを一体に形成し、防虫網１７が繰り出されるに従って、上記テープ状補強部１７ｓが案内手段１０に導入されることにより折り曲げられて両サイドが固定され、巻上げられるときには上記案内手段１０から外れてフラットとなり嵩低く蜜に巻き上げられるように構成した。【選択図】図１
2009215859.tif 000002
【特許請求の範囲】
【請求項１】
建物の開口部（１１）に設置された窓枠（１３）の面に沿って繰り出され、巻き上げられる防虫網（１７）において、その防虫網（１７）の両縁にテープ状補強部（１７ｓ）を一体に形成してなることを特徴とする巻上げ可能な防虫網。
【請求項２】
上記防虫網（１７）のテープ状補強部（１７ｓ）は、巻上げられる状態では防虫網（１７）に対してフラットであり、繰り出されるに従ってそのテープ状補強部（１７ｓ）が案内手段（１０）によって折り曲げられて幅方向に緊張状態となることを特徴とする巻上げ可能な防虫網。
【請求項３】
上記テープ状補強部（１７ｓ）は、硬質樹脂テープまたは金属テープからなることを特徴とする請求項１または２に記載の巻上げ可能な防虫網。
【発明の詳細な説明】
【技術分野】
【０００１】  この発明は巻上げ可能な防虫網に関する。
【背景技術】
【０００２】  巻上げ可能な防虫網の先行技術として特開２００７−２８４９４５「窓枠における網戸の取付け装置」がある。【０００３】  上記先行技術は「室外側の障子とともに網戸が嵌まるよう枠組みされる左右上下の各枠の室内側端に、室内側片と室外側片を突設することにより枠内方へ開口する深溝が形成されるサッシの窓枠において、網戸の一の框が網収納框として他の框に対して室外側に張り出す一方、室内側では他の框と面一ないしほぼ面一であって、窓枠の各枠に前記深溝の箇所と結合して室内側に突出する帯状の支持部を取り付け、この室内側へ突出する左右上下の支持部材に囲まれる中に網戸を差し入れることにより、各支持部材に各框をそれぞれビス止めした」構成としたものである。【０００４】  上記先行技術では、防虫網の上部に巻上げ機構が存在し、下端は繰り出しの把手が窓枠の下端に固定されるので害虫の侵入を阻止できるが、両サイドは具体的にどのように固定されるのか、その内容は明らかにされておらず、図面を見る限りでは両サイドはフリーになってあるために害虫などの侵入を許すものとなっている。【０００５】  ここで上記先行技術の問題解決策として、図５に示すように衣類やバッグ等で採用されているファスナーのチップ０１の如きものを繰り出される防虫網１７の両縁に連続して形成し、防虫網１７が繰り出されるとき窓枠の両側に設けたアリ溝形のレール０２に上記連続して形成したチップ０１を導入するならば防虫網の上下両サイドが緊張状態で固定されて害虫の侵入を防止することができる。【０００６】  しかし、この構造では繰り出した防虫網１７を巻き上げたとき、チップ０１が重なり合って巻上げ部分が嵩だかとなってしまう問題がある。
【発明の開示】
【発明が解決しようとする課題】
【０００７】  上記状況のもと本発明は、防虫網がロール状に巻き上げられたときは嵩ひくく、繰り出されたときには両サイドが緊張状態で固定されることにより、何れからも害虫が侵入することができない巻上げ可能な防虫網を提供しようとするものである。
【課題を解決するための手段】
【０００８】  上記課題を解決するためにこの発明は、建物の開口部１１に設置された窓枠１３の面に沿って繰り出され、巻き上げられる防虫網１７において、その防虫網１７の両縁にテープ状補強部１７ｓを一体に形成し、防虫網１７が繰り出されるに従って、上記テープ状補強部１７ｓが案内手段（軌道）１０に導入されて固定（幅方向に緊張）され、巻上げられるときには上記案内手段（軌道）１０から外れて防虫網全体がフラットとなり嵩低く蜜に巻き上げられるように構成としたものである。
【発明の効果】
【０００９】  上記のごとく構成するこの発明によれば、防虫網を繰り出したときは上下両サイドが緊張状態で固定されて害虫の侵入を阻止することができ、巻上げ時にはテープ状補強部が防虫網と同一面に戻りフラットになって嵩低く蜜に巻き上げられることとなる。
【発明を実施するための最良の形態】
【００１０】  次にこの発明の実施の形態を、図面を参照しながら説明する。建物の開口部１１には、扉等が嵌まるレール１２を形成した窓枠１３が嵌められ、この窓枠１３の前面には面格子１６と防虫網ユニット１４とで構成する防虫網・面格子がブラケット１５を介して取り付けてある。【００１１】  上記防虫網ユニット１４は、防虫網１７を巻き上げるスプール１８を収容するハウジング１９と、繰り出される防虫網１７の下端に取り付けた横桟３８を案内する案内溝２０を形成した外枠２１とからなる。【００１２】  上記ハウジング１９は、上記スプール１８の支持軸２２を支承するベアリング２３を両端に設け、上記スプール１８は、長い筒体２４の両端に鍔２５を有する栓２６を嵌め込み、上記長い筒体２４の内部を、軸受け構成部材２７でもって長い区画部分２８と短い区画部分２９に区画し、長い区画部分２８の端から上記軸受け構成部材２７に向けて支持軸３０を挿通し、短い区画部分２９の端から摺動支持軸３１を挿通し、この摺動支持軸３１をスプリング３２によって突き出し方向に付勢している。【００１３】  上記長い区画部２８側に挿通し支持軸３０と上記筒体２４との間にコイルスプリング３３を装填し、その片端を筒体２４に固定し他端を支持軸３０に固定して防虫網１７を巻き上げる方向に付勢している。また、図面上の右側軸端にはテーパーコーン状カラー３４を介してラチェットホイール３５が嵌められ、このラチェットホイール３５に爪３６が掛り合いラチェットホイール３５に掛けまわされたチェン３７によりコイルスプリング３３の巻上げ力を調整可能にしている。【００１４】  防虫網１７の下端には横桟３８が取り付けられ、この横桟３８の両端は外枠２１の両側内面に形成した案内溝２０に嵌まり合うスライドシュー３９が形成され、繰り出される防虫網１７を案内するようになり、横桟３８の中央には引っ掛け部材４０が取り付けられ、外枠２１の下端に取り付けられた引っ掛け爪４１によって防虫網１７を最大繰り出した状態を固定するようになっている。【００１５】  次に繰り出された防虫網１７を幅方向に緊張させる手段について説明する。図１に示すように防虫網１７の両縁には硬質樹脂テープを融着してテープ状補強部１７ｓを形成している。ここで硬質樹脂とは軌道１０に導入されたとき防虫網を確保して軌道１０から抜け出ない程度のものでよくポリアミド、ポリエステルあるいは同質で高密度のものなどを採用することができる。また、上記硬質樹脂テープに代えて金属テープを採用することができ、金属テープを採用したときは遮光スクリーン１７の素材と金属テープ双方に接着効果のある接着手段を採用する。【００１６】  防虫網１７がロール状に巻き取られた状態では、その両縁に形成されたテープ状補強部１７ｓが防虫網１７に対して同一面のフラットになって密に巻き取られている。この状態から繰り出されて軌道１０（案内手段）に導入されるまでの間に上記テープ状補強部１７ｓは９０度捻られ、軌道１０に導入された後はテープ状補強部１７ｓの境目で直角に折り曲げられて幅方向に緊張された状態になる。【００１７】  上記軌条１０は、図３に示すように外枠２１に横桟３８の案内溝２０に平行して設けられ、外枠２１は、それから��びるブラケット１５により窓枠１３に取り付けられている。なお、ここで図２に示すようにブラケット１５と合わせて起毛４３を施した防虫板４２を設けるならば防虫網の上下・左右何れの方向からも害虫の侵入を阻止することができる。【００１８】  上記軌道１０は図１に示すようにスプール１８の手前で途切れており、それから延びるテープ状補強部１７ｓは次第に捻られ遮光スクリーン１７と同一面になってスプール１８に巻き上げられる。ここで軌道１０をスプール１８に向けて９０度捻ってテープ状補強部１７ｓを強制的に遮光スクリーン１７と同一面にすることもできる。
【産業上の利用可能性】
【００１９】  上記のごとく構成するこの発明によれば第一に、防虫網が必要なときは繰り出し、不要のときは窓枠の上部に巻き上げて視界をスッキリしたものにすることができる。第二に、繰り出された防虫網には上下両サイドが緊張状態で固定されるので害虫の侵入を完全に阻止することができる。第三に、巻き上げの密度が高くなって巻上げ時の収納部を小さくすることが可能となる。第四に、テープを溶着（または張り合わせ）するものであるから防虫網の生産性が向上するなど大きな効果を発揮し産業上の利用効果はきわめて高いものである。
【図面の簡単な説明】
【００２０】
【図１】  本発明の要部説明の模式図
【図２】  本発明に係る防虫網を窓枠取り付けた状態の垂直断面図
【図３】  同水平断面図
【図４】  同巻上げ機構説明図
【図５】  従来技術の説明図
【符号の説明】
【００２１】１０  軌道
１１  開口部
１２  レール
１３  窓枠
１４  防虫網ユニット
１５  ブラケット
１６  面格子
１７  防虫網
１８  スプール
１９  ハウジング
２０  案内溝（横桟の）
２１  外枠
２２  支持軸（スプールの）
２３  ベアリング
２４  （長い）筒体
２５  鍔
２６  栓
２７  軸受け構成部材
２８  長い区画部
２９  短い区画部
３０  支持軸
３１  摺動支持軸
３２  スプリング
３３  コイルスプリング
３４  （テーパーコーン状の）カラー
３５  ラチェットホイール
３６  爪
３７  チェン
３８  横桟
３９  スライドシュー
４０  引っ掛け部材
４１  引っ掛け爪
４２  防虫板
４３  起毛
【図１】
2009215859.tif 000003
【図２】
2009215859.tif 000004
【図３】
2009215859.tif 000005
【図４】
2009215859.tif 000006
【図５】
2009215859.tif 000007